(57)【要約】【課題】  小型化が可能で、容易に形態を変形することができるログペリオディックアンテナを提供する。【解決手段】  Ｘ軸方向に延びる支柱２には、Ｙ軸方向の両側に位置してＸ軸方向に離間した第１〜第６のエレメント８〜１９を取り付ける。このうち、第２〜第６のエレメント１０〜１９は、長さ方向の途中位置から折曲げ変形可能に形成する。また、支柱２には前端側の支持軸５を支点としてＹ軸方向に開，閉可能な２本のレバー２１，２２を取り付ける。そして、レバー２１，２２のガイド部２１Ｃ，２１Ｄ，２２Ｃ，２２Ｄには、エレメント１０〜１９の先端部１０Ｆ〜１９Ｆに設けた係合突起２０を挿入する。これにより、レバー２１，２２の開，閉に伴って、第２〜第６のエレメント１０〜１９を一緒に折曲げ変形させることができる。【選択図】        図１
2010278522.tif 000002
【特許請求の範囲】
【請求項１】
Ｘ軸方向に延びる支柱と、Ｘ軸方向に互いに間隔をもって該支柱に配置されＸ軸方向と直交するＹ軸方向の両側にそれぞれ延びる複数本のエレメントとを備え、これら複数本のエレメントは前記支柱の先端側から基端側に向けてその長さ寸法が大きくなる構成としたログペリオディックアンテナにおいて、
前記複数本のエレメントのうち少なくとも前記支柱の基端側に位置する２本以上のエレメントは、その長さ方向の途中位置に設けた連結部を支点として折曲げ変形可能に形成し、
前記支柱をＹ軸方向の両側から挟み、前記支柱の先端側を支点としてＹ軸方向に開，閉可能な２本のレバーを設け、
該各レバーには、前記折曲げ変形可能なエレメントの先端部を該各レバーの長さ方向に沿って案内するガイド部を設け、
前記Ｙ軸方向の一側に位置するレバーには、当該レバーのガイド部を用いて、Ｙ軸方向の一側に位置する前記折曲げ変形可能なエレメントの先端部を連結し、
前記Ｙ軸方向の他側に位置するレバーには、当該レバーのガイド部を用いて、Ｙ軸方向の他側に位置する前記折曲げ変形可能なエレメントの先端部を連結し、
前記２本のレバーを閉じたときには、前記折曲げ変形可能なエレメントを折曲げ状態で収容し、
前記２本のレバーを開いたときには、前記折曲げ変形可能なエレメントを直線状態に伸長させる構成としたことを特徴とするログペリオディックアンテナ。
【請求項２】
前記２本のレバーには、前記２本のレバーを開いたときに、前記折曲げ変形可能なエレメントが直線状態となる位置で当該レバーを停止させるストッパ機構を設け、
該ストッパ機構には、前記２本のレバーを開いた状態で固定するロック機構を設ける構成としてなる請求項１に記載のログペリオディックアンテナ。
【発明の詳細な説明】
【技術分野】
【０００１】
本発明は、広帯域の電磁波を送信または受信するときに用いて好適なログペリオディックアンテナに関する。
【背景技術】
【０００２】
一般に、軸方向に離間した複数本のエレメントを支柱に設けると共に、軸方向で隣合うエレメントに逆位相の給電を行うログペリオディックアンテナが知られている。このようなログペリオディックアンテナでは、複数本のエレメントは支柱の先端側から基端側に向けてその長さ寸法が大きくなる構成となっている。
【０００３】
また、他の広帯域アンテナとして、支持部材に任意の長さ寸法に伸縮自在な複数本のエレメントを設けた構成が知られている（例えば、特許文献１参照）。そして、特許文献１には、放射状に設けたエレメントの角度を変化させることによって、ダイポールアンテナ、バイコニカルアンテナ、ディスコーンアンテナのいずれかの形態に変化可能とした構成が開示されている。
【先行技術文献】
【特許文献】
【０００４】
【特許文献１】特開平６−１９６９１６号公報
【発明の概要】
【発明が解決しようとする課題】
【０００５】
ところで、従来技術によるログペリオディックアンテナでは、低い周波数帯に対応するエレメントは、例えば１ｍ程度の長さ寸法を有する。このため、例えば幅の狭い場所を通ってアンテナを移動させる場合には、エレメントが壁や床に当り、破損する虞れがある。
【０００６】
一方、特許文献１には、複数本のエレメントを収縮させて小型化し、運搬時の携帯性を高める構成が開示されている。しかし、特許文献１によるアンテナでは、複数本のエレメント全てをそれぞれ個別に伸縮させるため、アンテナの形態を変形するときの作業性が悪いという問題がある。
【０００７】
本発明は上述した従来技術の問題に鑑みなされたもので、本発明の目的は、小型化が可能で、容易に形態を変形することができるログペリオディックアンテナを提供することにある。
【課題を解決するための手段】
【０００８】
上述した課題を解決するために本発明は、Ｘ軸方向に延びる支柱と、Ｘ軸方向に互いに間隔をもって該支柱に配置されＸ軸方向と直交するＹ軸方向の両側にそれぞれ延びる複数本のエレメントとを備え、これら複数本のエレメントは前記支柱の先端側から基端側に向けてその長さ寸法が大きくなる構成としたログペリオディックアンテナに適用される。
【０００９】
そして、請求項１の発明が採用する構成の特徴は、前記複数本のエレメントのうち少なくとも前記支柱の基端側に位置する２本以上のエレメントは、その長さ方向の途中位置に設けた連結部を支点として折曲げ変形可能に形成し、前記支柱をＹ軸方向の両側から挟み、前記支柱の先端側を支点としてＹ軸方向に開，閉可能な２本のレバーを設け、該各レバーには、前記折曲げ変形可能なエレメントの先端部を該各レバーの長さ方向に沿って案内するガイド部を設け、前記Ｙ軸方向の一側に位置するレバーには、当該レバーのガイド部を用いて、Ｙ軸方向の一側に位置する前記折曲げ変形可能なエレメントの先端部を連結し、前記Ｙ軸方向の他側に位置するレバーには、当該レバーのガイド部を用いて、Ｙ軸方向の他側に位置する前記折曲げ変形可能なエレメントの先端部を連結し、前記２本のレバーを閉じたときには、前記折曲げ変形可能なエレメントを折曲げ状態で収容し、前記２本のレバーを開いたときには、前記折曲げ変形可能なエレメントを直線状態に伸長させる構成としたことにある。
【００１０】
請求項２の発明では、前記２本のレバーには、前記２本のレバーを開いたときに、前記折曲げ変形可能なエレメントが直線状態となる位置で当該レバーを停止させるストッパ機構を設け、該ストッパ機構には、前記２本のレバーを開いた状態で固定するロック機構を設ける構成としている。
【発明の効果】
【００１１】
請求項１の発明によれば、支柱をＹ軸方向の両側から挟んでＹ軸方向に開，閉可能な２本のレバーを設けると共に、各レバーに折曲げ変形可能なエレメントの先端部を連結した。このため、２本のレバーを閉じることによって、複数本のエレメントを一緒に折曲げ変形させることができる。これにより、複数本のエレメントはその先端部が支柱に近付いた折曲げ状態となるから、アンテナ全体を支柱に沿った細長い状態に収容することができ、アンテナの携帯性を高めることができる。
【００１２】
また、２本のレバーを開いたときには、複数本のエレメントは一緒に直線状態に伸長する。これにより、２本のレバーを開，閉操作することによって、複数本のエレメントを一緒に直線状態と折曲げ状態とに変形することができる。このため、従来技術のように、複数本のエレメントを個別に伸縮させた場合に比べて、アンテナの形態を容易に変形することができる。
【００１３】
請求項２の発明によれば、２本のレバーにはストッパ機構を設けたから、折曲げ変形可能なエレメントが直線状態となる位置で２本のレバーを停止させることができる。また、ストッパ機構にはロック機構を設けたから、ロック機構を用いて２本のレバーを開いた状態で固定することができる。これにより、例えばアンテナの使用中にエレメントが変形することがなく、放射パターン等のアンテナ特性を安定させることができる。
【図面の簡単な説明】
【００１４】
【図１】本発明の実施の形態によるログペリオディックアンテナを使用形態で示す平面図である。
【図２】図１中のログペリオディックアンテナを示す正面図である。
【図３】図１中のログペリオディックアンテナの前端側を拡大して示す平面図である。
【図４】本発明の実施の形態によるログペリオディックアンテナを収納形態で示す平面図である。
【図５】図４中のログペリオディックアンテナを示す正面図である。
【図６】図４中のログペリオディックアンテナの前端側を拡大して示す平面図である。
【図７】エレメントの連結部を拡大してみた図３中のａ部の平面図である。
【図８】エレメントの連結部を図７中の矢示VIII−VIII方向からみた断面図である。
【図９】レバーのガイド部を図３中の矢示IX−IX方向からみた断面図である。
【図１０】ストッパ機構を図３中の矢示Ｘ−Ｘ方向からみた断面図である。
【発明を実施するための形態】
【００１５】
以下、本発明の実施の形態によるログペリオディックアンテナを添付図面に従って詳細に説明する。
【００１６】
まず、図１ないし図１０は、本実施の形態によるログペリオディックアンテナ１（以下、アンテナ１という）を示し、該アンテナ１は、後述する支柱２、６組のエレメント８〜１９、レバー２１，２２、ストッパ機構２３等によって構成されている。そして、アンテナ１は、例えば互いに直交する３軸（Ｘ軸、Ｙ軸、Ｚ軸）方向のうちＸ軸方向に対して指向性を有する構成となっている。
【００１７】
支柱２は、Ｘ軸方向に沿って前端側（先端側）から後端側（基端側）に向けて延びると共に、例えば互いに平行な状態でＸ軸方向に伸長した２本の角筒体３，４を用いて構成されている。この角筒体３，４は、例えばアルミニウム等の軽量な材料を用いて形成され、互いにＺ軸方向に離間している。また、角筒体３，４の前端部分は例えば円柱状の支持軸５を用いて互いに連結され、角筒体３，４の後端部分はバラン６（平衡変換器）にそれぞれ接続されている。
【００１８】
このとき、各角筒体３，４の内部には、後述のエレメント８〜１９間を接続する例えば平行２線からなる配線（図示せず）等が挿入されている。そして、バラン６は、外部に接続される同軸線路と角筒体３，４内に設けられる配線（平行２線）との間で線路の変換を行うものである。
【００１９】
また、バラン６には、Ｘ軸方向の後端側（図１中の右側）に向けて突出した取付軸７が設けられている。そして、取付軸７を例えば床面から垂直方向に延びる支持支柱を備えたアンテナポジショナ等に取り付けることによって、アンテナ１は固定される。
【００２０】
第１のエレメント８，９は、支柱２のうち最も前端側（図１中の左側）に位置して、Ｙ軸方向の両側にそれぞれ配置されている。具体的には、エレメント８は、支柱２のＹ軸方向の一側（図１中の下側）に位置して角筒体３に取り付けられている。また、エレメント９は、支柱２のＹ軸方向の他側（図１中の上側）に位置して角筒体３に取り付けられている。そして、エレメント８，９は、例えば導電性の金属材料を用いて断面円形の棒状に形成され、Ｙ軸方向に対して同一直線上に配置されている。また、最も前端側に位置するエレメント８，９の長さ寸法は、後述する他のエレメント１０〜１９に比べて短い値に設定されている。即ち、エレメント８，９の長さ寸法は、エレメント８〜１９の中で最も短い値に設定されている。
【００２１】
第２のエレメント１０，１１は、図１ないし図６に示すように、支柱２のうち第１のエレメント８，９よりも後端側に位置して、Ｘ軸方向に対して第１のエレメント８，９と第３のエレメント１２，１３との間に配置されている。具体的には、エレメント１０は、支柱２のＹ軸方向の一側に位置して、隣合うエレメント８，１２が設けられた角筒体３とは異なる角筒体４に取り付けられている。また、エレメント１１は、支柱２のＹ軸方向の他側に位置して角筒体４に取り付けられている。
【００２２】
ここで、エレメント１０，１１は、例えば導電性の金属材料を用いて断面円形の棒状に形成され、Ｙ軸方向に対して同一直線上に配置されている。また、エレメント１０，１１の長さ寸法は、支柱２の前端側に位置するエレメント８，９よりも長い値に設定され、支柱２の後端側に位置するエレメント１２，１３よりも短い値に設定されている。そして、第２のエレメント１０，１１は、Ｘ軸方向に対して隣合う第１のエレメント８，９と第３のエレメント１２，１３に対して、Ｘ軸方向に離間した位置に配置されている。
【００２３】
また、エレメント１０は、図３に示すように、角筒体４に固定された固定部１０Ａと、該固定部１０Ａの先端に回動可能に取り付けられた回動部１０Ｂとを備えている。そして、固定部１０Ａの先端部分には、回動部１０Ｂの基端部分を軸支して回動部１０Ｂを回動可能に連結する連結ピン等からなる連結部１０Ｃが設けられている。これにより、エレメント１０は、長さ方向（Ｙ軸方向）の途中位置に設けられた連結部１０Ｃを支点として折曲げ変形が可能となっている。
【００２４】
また、固定部１０Ａの先端側には、Ｘ軸方向の後端側を切欠くことによって横断面が略半円形の爪部１０Ｄが形成されている。一方、回動部１０Ｂの基端側には、爪部１０Ｄと対応した位置にＸ軸方向の前端側を切欠いた切欠き部１０Ｅが形成されている。そして、回動部１０Ｂが固定部１０Ａに対してＹ軸に沿って直線状に配置されたときには、固定部１０Ａの爪部１０Ｄと回動部１０Ｂの切欠き部１０Ｅとが係合する。これにより、爪部１０Ｄおよび切欠き部１０Ｅは、回動部１０Ｂの先端部１０Ｆが固定部１０Ａを越えてＸ軸方向の前端側に変位するのを規制している。
【００２５】
一方、回動部１０Ｂの先端部１０Ｆは、Ｘ軸方向の後端側に向けて回動可能となっている。このとき、回動部１０Ｂは、連結部１０Ｃを支点としてＸＹ平面に沿って回動する。また、回動部１０Ｂの先端部１０Ｆには、Ｚ軸方向に対して角筒体３側（図２中の上側）に向けて突出した後述の係合突起２０が設けられている。そして、係合突起２０が後述するレバー２１のガイド部２１Ｄに挿入されることによって、回動部１０Ｂの先端部１０Ｆはレバー２１に連結されている。
【００２６】
また、エレメント１１も、エレメント１０とほぼ同様に形成され、固定部１１Ａ、回動部１１Ｂ、連結部１１Ｃ、爪部１１Ｄおよび切欠き部１１Ｅを備えている。そして、エレメント１１は、長さ方向（Ｙ軸方向）の途中位置に設けられた連結部１１Ｃを支点として折曲げ変形が可能となっている。さらに、回動部１１Ｂの先端部１１Ｆには、レバー２２のガイド部２２Ｄに挿入される係合突起２０が設けられている。
【００２７】
第３のエレメント１２，１３は、支柱２のうち第２のエレメント１０，１１よりも後端側に位置して、Ｘ軸方向に対して第２のエレメント１０，１１と第４のエレメント１４，１５との間に配置されている。具体的には、エレメント１２は、支柱２のＹ軸方向の一側に位置して、隣合うエレメント１０，１４が設けられた角筒体４とは異なる角筒体３に取り付けられている。また、エレメント１３は、支柱２のＹ軸方向の他側に位置して角筒体３に取り付けられている。
【００２８】
ここで、エレメント１２，１３は、例えば導電性の金属材料を用いて断面円形の棒状に形成され、Ｙ軸方向に対して同一直線上に配置されている。また、エレメント１２，１３の長さ寸法は、支柱２の前端側に位置するエレメント１０，１１よりも長い値に設定され、支柱２の後端側に位置するエレメント１４，１５よりも短い値に設定されている。そして、第３のエレメント１２，１３は、Ｘ軸方向に対して隣合う第２のエレメント１０，１１と第４のエレメント１４，１５に対して、Ｘ軸方向に離間した位置に配置されている。
【００２９】
また、第３のエレメント１２，１３は、第２のエレメント１０，１１とほぼ同様に形成され、固定部１２Ａ，１３Ａ、回動部１２Ｂ，１３Ｂ、連結部１２Ｃ，１３Ｃ、爪部１２Ｄ，１３Ｄおよび切欠き部１２Ｅ，１３Ｅを備えている。このとき、固定部１２Ａ，１３Ａの長さ寸法は、例えば固定部１０Ａ，１１Ａの長さ寸法と同程度の値に設定されている。一方、回動部１２Ｂ，１３Ｂの長さ寸法は、回動部１０Ｂ，１１Ｂの長さ寸法よりも長い値に設定されている。
【００３０】
そして、エレメント１２，１３は、長さ方向（Ｙ軸方向）の途中位置に設けられた連結部１２Ｃ，１３Ｃを支点として折曲げ変形が可能となっている。さらに、回動部１２Ｂ，１３Ｂの先端部１２Ｆ，１３Ｆには、レバー２１，２２のガイド部２１Ｃ，２２Ｃに挿入される後述の係合突起２０がそれぞれ設けられている。
【００３１】
第４〜第６のエレメント１４〜１９は、図１、図３、図４および図６に示すように、支柱２のうち第３のエレメント１２，１３よりも後端側に配置されている。このとき、第４〜第６のエレメント１４〜１９は、互いにＸ軸方向に離間すると共に、支柱２のＸ軸方向に対して、前端側から後端側に向かって順次配置されている。
【００３２】
具体的には、第４のエレメント１４，１５は、第５，第６のエレメント１６〜１９よりもＸ軸方向の前端側に配置されている。また、第５のエレメント１６，１７は、Ｘ軸方向に対して第４のエレメント１４，１５と第６のエレメント１８，１９との間に配置されている。さらに、第６のエレメント１８，１９は、第４，第５のエレメント１４〜１７よりも後端側に配置されている。
【００３３】
また、第４〜第６のエレメント１４，１６，１８は、支柱２のＹ軸方向の一側に配置されている。一方、第４〜第６のエレメント１５，１７，１９は、支柱２のＹ軸方向の他側に配置されている。
【００３４】
さらに、第４，第６のエレメント１４，１５，１８，１９は、支柱２の角筒体４に取り付けられている。これに対し、第５のエレメント１６，１７は、支柱２の角筒体３に取り付けられている。これにより、第１〜第６のエレメント８〜１９は、Ｘ軸方向に対して隣合うもの同士がＺ軸方向に対して互い違いとなるように、角筒体３，４に交互に配置されている。
【００３５】
そして、エレメント１４〜１９は、例えば導電性の金属材料を用いて断面円形の棒状に形成されている。また、第４のエレメント１４，１５は、Ｙ軸方向に対して同一直線上に配置されている。同様に、第５のエレメント１６，１７は、Ｙ軸方向に対して同一直線上に配置され、第６のエレメント１８，１９は、Ｙ軸方向に対して同一直線上に配置されている。
【００３６】
さらに、第４のエレメント１４，１５の長さ寸法は、支柱２の前端側に位置する第３のエレメント１２，１３よりも長い値に設定され、支柱２の後端側に位置する第５のエレメント１６，１７よりも短い値に設定されている。同様に、第５のエレメント１６，１７の長さ寸法は、支柱２の前端側に位置する第４のエレメント１４，１５よりも長い値に設定され、支柱２の後端側に位置する第６のエレメント１８，１９よりも短い値に設定されている。そして、最も後端側に位置するエレメント１８，１９の長さ寸法は、他のエレメント８〜１７に比べて長い値に設定されている。即ち、エレメント１８，１９の長さ寸法は、エレメント８〜１９の中で最も長い値（例えば１ｍ程度）に設定されている。これにより、各エレメント８〜１９は、これらの先端部分をつないだ形状が略二等辺三角形となる状態で、支柱２に取り付けられている。
【００３７】
また、第４〜第６のエレメント１４〜１９も、第２，第３のエレメント１０〜１３とほぼ同様に形成され、固定部１４Ａ〜１９Ａ、回動部１４Ｂ〜１９Ｂ、連結部１４Ｃ〜１９Ｃ、爪部１４Ｄ〜１９Ｄおよび切欠き部１４Ｅ〜１９Ｅを備えている。このとき、固定部１４Ａ〜１９Ａの長さ寸法は、例えば固定部１０Ａ，１１Ａの長さ寸法と同程度の値に設定されている。一方、回動部１４Ｂ〜１９Ｂは、支柱２の後端側に位置するに従って、その長さ寸法が長くなっている。
【００３８】
具体的には、第４のエレメント１４，１５の回動部１４Ｂ，１５Ｂの長さ寸法は、第３のエレメント１２，１３の回動部１２Ｂ，１３Ｂよりも長い値に設定されている。また、第５のエレメント１６，１７の回動部１６Ｂ，１７Ｂの長さ寸法は、第４のエレメント１４，１５の回動部１４Ｂ，１５Ｂよりも長い値に設定されている。さらに、第６のエレメント１８，１９の回動部１８Ｂ，１９Ｂの長さ寸法は、第４のエレメント１６，１７の回動部１６Ｂ，１７Ｂよりも長い値に設定されている。
【００３９】
そして、エレメント１４〜１９は、長さ方向（Ｙ軸方向）の途中位置に設けられた連結部１４Ｃ〜１９Ｃを支点として折曲げ変形可能に形成されている。さらに、回動部１４Ｂ〜１９Ｂの先端部１４Ｆ〜１９Ｆには、レバー２１，２２のガイド部２１Ｃ，２１Ｄ，２２Ｃ，２２Ｄに挿入される後述の係合突起２０がそれぞれ設けられている。
【００４０】
係合突起２０は、第２〜第６のエレメント１０〜１９の先端部１０Ｆ〜１９Ｆに設けられ、後述のレバー２１，２２に向けてＺ軸方向に突出している。具体的には、第２，第４，第６のエレメント１０，１１，１４，１５，１８，１９の先端部１０Ｆ，１１Ｆ，１４Ｆ，１５Ｆ，１８Ｆ，１９Ｆに設けられた係合突起２０は、Ｚ軸方向に対して角筒体３側（図２中の上側）に向けて突出している。一方、第３，第５のエレメント１２，１３，１６，１７の先端部１２Ｆ，１３Ｆ，１６Ｆ，１７Ｆに設けられた係合突起２０は、Ｚ軸方向に対して角筒体４側（図２中の下側）に向けて突出している。そして、係合突起２０は、例えば絶縁性の樹脂材料を用いて略円柱状に形成され、レバー２１，２２のガイド部２１Ｃ，２１Ｄ，２２Ｃ，２２Ｄに挿入されている。
【００４１】
レバー２１，２２は、支柱２をＹ軸方向の両側から挟んで設けられ、Ｘ軸方向に対して斜めに傾斜した方向に向けて延びている。ここで、レバー２１は支柱２よりもＹ軸方向の一側に配置され、レバー２２は支柱２よりもＹ軸方向の他側に配置されている。また、レバー２１，２２の始端部２１Ａ，２２Ａは、支持軸５に軸支されている。一方、レバー２１，２２の終端部２１Ｂ，２２Ｂは、自由端となっている。これにより、レバー２１，２２は、支柱２の前端側に位置する支持軸５を支点としてＹ軸方向に開，閉可能となっている。
【００４２】
また、レバー２１，２２は、例えばエンジニアプラスチック（ポリテトラフルオロエチレン）、高強度の絶縁性樹脂材料等のように比誘電率εsが空気に近い値（例えば１≦εs≦２．１）となった低誘電率材料を用いて横断面が略四角形状の棒状に形成され、例えば支柱２よりも長い長さ寸法を有している。ここで、レバー２１のＺ軸方向の両面側には、横断面がコ字状の溝からなるガイド部２１Ｃ，２１Ｄがそれぞれ凹設されると共に、このガイド部２１Ｃ，２１Ｄは、例えばレバー２１の全長に亘って延びている。同様に、レバー２２のＺ軸方向の両面側には、横断面がコ字状の溝からなるガイド部２２Ｃ，２２Ｄがそれぞれ凹設されると共に、このガイド部２２Ｃ，２２Ｄは、例えばレバー２２の全長に亘って延びている。
【００４３】
また、レバー２１，２２は、Ｚ軸方向に対して角筒体３に取り付けられた第１，第３，第５のエレメント８，９，１２，１３，１６，１７と角筒体４に取り付けられた第２，第４，第６のエレメント１０，１１，１４，１５，１８，１９との間に挟まれている。そして、レバー２１のガイド部２１Ｃには、第３，第５のエレメント１２，１６の先端部１２Ｆ，１６Ｆに設けた係合突起２０が挿入されている。また、レバー２２のガイド部２２Ｃには、第３，第５のエレメント１３，１７の先端部１３Ｆ，１７Ｆに設けた係合突起２０が挿入されている。一方、レバー２１のガイド部２１Ｄには、第２，第４，第６のエレメント１０，１４，１８の先端部１０Ｆ，１４Ｆ，１８Ｆに設けた係合突起２０が挿入されている。また、レバー２２のガイド部２２Ｄには、第２，第４，第６のエレメント１１，１５，１９の先端部１１Ｆ，１５Ｆ，１９Ｆに設けた係合突起２０が挿入されている。
【００４４】
ここで、係合突起２０は、ガイド部２１Ｃ，２１Ｄ，２２Ｃ，２２Ｄ内でレバー２１，２２の長さ方向に対してスライド変位が可能となっている。このため、レバー２１，２２を閉じたときには、終端部２１Ｂ，２２Ｂが支柱２に近付くに従って、各エレメント１０〜１９の係合突起２０は、Ｘ軸方向の後端側（図１中の右側）に向けて変位する。これにより、各エレメント１０〜１９の先端部１０Ｆ〜１９ＦがＸ軸方向の後端側に向けて移動するから、回動部１０Ｂ〜１９Ｂが内側に向けて回動し、各エレメント１０〜１９は折曲げ変形する。
【００４５】
一方、レバー２１，２２を開いたときには、終端部２１Ｂ，２２Ｂが支柱２から離れるに従って、各エレメント１０〜１９の係合突起２０は、Ｘ軸方向の前端側（図１中の左側）に向けて変位する。これにより、各エレメント１０〜１９の先端部１０Ｆ〜１９ＦがＸ軸方向の前端側に向けて移動するから、回動部１０Ｂ〜１９Ｂが外側に向けて回動し、各エレメント１０〜１９は直線状に延びる。
【００４６】
ストッパ機構２３は、例えばレバー２１，２２と同様な低誘電率材料を用いて形成され、Ｚ軸方向に対して角筒体３，４の間に配置されると共に、支柱２を挟んでＹ軸方向の両側に延びる２本の腕部材２３Ａ，２３Ｂによって構成されている。このとき、腕部材２３Ａ，２３Ｂの一端側は、Ｙ軸方向の両側にそれぞれ配置される共に、回動可能な状態でレバー２１，２２の取付部２１Ｅ，２２Ｅに連結されている。一方、腕部材２３Ａ，２３Ｂの他端側は、支柱２と対向した位置に配置されると共に、連結軸２３Ｃを用いて互いに回動可能な状態で連結されている。このとき、連結軸２３Ｃは略円筒状に形成され、その軸中心にはＺ軸方向に貫通した後述の貫通孔２４Ａが形成されている。
【００４７】
そして、ストッパ機構２３は、レバー２１，２２の開，閉動作に応じて、折曲げ変形する構成となっている。具体的には、レバー２１，２２を閉じたときには、Ｙ軸方向に対するレバー２１，２２の間の距離が短くなるから、ストッパ機構２３はＬ字状に屈曲し、連結軸２３ＣがＸ軸方向の後端側に向けて変位する。
【００４８】
一方、レバー２１，２２を開いたときには、Ｙ軸方向に対するレバー２１，２２の間の距離が長くなるから、ストッパ機構２３は直線状に伸長する。そして、腕部材２３Ａ，２３ＢがＹ軸方向に一直線に並んだときには、各エレメント１０〜１９も直線状に伸長した状態となる。これにより、ストッパ機構２３は、折曲げ変形可能なエレメント１０〜１９の回動部１０Ｂ〜１９Ｂが固定部１０Ａ〜１９Ａを越えてＸ軸方向の前端側に向けて回動するのを規制している。
【００４９】
ロック機構２４は、ストッパ機構２３に設けられ、ストッパ機構２３を直線状態で固定する。具体的には、ロック機構２４は、ストッパ機構２３の連結軸２３Ｃに設けられた貫通孔２４Ａと、角筒体３，４に設けられＺ軸方向に貫通したピン挿通孔２４Ｂ，２４Ｃと、貫通孔２４Ａおよびピン挿通孔２４Ｂ，２４Ｃに取外し可能に挿入されたロックピン２４Ｄとによって構成されている。
【００５０】
このとき、支柱２のピン挿通孔２４Ｂ，２４Ｃは、ストッパ機構２３が直線状態となったときに、貫通孔２４Ａと対向する位置に配置されている。このため、ロックピン２４Ｄを貫通孔２４Ａおよびピン挿通孔２４Ｂ，２４Ｃに挿入したときには、ストッパ機構２３は直線状態に固定される。これにより、ロック機構２４は、アンテナ１の使用時にレバー２１，２２の回動変位を規制して、第２〜第６のエレメント１０〜１９を直線状態に保持する。
【００５１】
一方、アンテナ１の運搬時には、ロックピン２４Ｄを貫通孔２４Ａおよびピン挿通孔２４Ｂ，２４Ｃから取外す。これにより、ストッパ機構２３は折曲げ変形可能となるから、レバー２１，２２を閉じることによって、第２〜第６のエレメント１０〜１９を折曲げ変形させることができる。
【００５２】
本実施の形態によるアンテナ１は上述のように構成されるものであり、次に該アンテナ１の使用方法について説明する。
【００５３】
まず、アンテナ１を使用するときには、ストッパ機構２３が直線状態となる位置まで図１中の矢示Ａ方向に向けてレバー２１，２２を開く。これにより、各エレメント１０〜１９の先端部１０Ｆ〜１９Ｆは、レバー２１，２２の開き角に応じてＸ軸方向の前端側に移動する。このとき、各エレメント１０〜１９が直線状態となったときには、爪部１０Ｄ〜１９Ｄと切欠き部１０Ｅ〜１９Ｅが係合し、この直線状態を越えて先端部１０Ｆ〜１９ＦがＸ軸方向の前端側に移動するのを規制する。
【００５４】
また、各エレメント１０〜１９が直線状態となったときには、ストッパ機構２３によってもレバー２１，２２の開き角が規制される。このため、作業者は、ストッパ機構２３によってレバー２１，２２の開き角が規制された位置で、ロック機構２４を用いてレバー２１，２２を固定する。これにより、エレメント１０〜１９は一緒に固定されるから、全てのエレメント８〜１９がＹ軸方向に平行な直線状態となり、アンテナ１は使用形態となる。
【００５５】
そして、アンテナ１の使用形態で、取付軸７をアンテナポジショナに取り付けると共に、バラン６に給電用の同軸線路を接続する。そして、Ｘ軸方向で隣合うもの同士（例えば第１のエレメント８，９と第２のエレメント１０，１１）が逆位相となるように、第１〜第６のエレメント８〜１９に対して給電を行う。これにより、アンテナ１は、例えば数十ＭＨｚ〜数ＧＨｚ程度の広帯域の電磁波を送信または受信することができる。
【００５６】
一方、アンテナ１を運搬するときには、バラン６から同軸線路を取外すと共に、アンテナ１の取付軸７をアンテナポジショナから取外す。次に、ロック機構２４のロックピン２４Ｄを貫通孔２４Ａおよびピン挿通孔２４Ｂ，２４Ｃから取外す。これにより、ストッパ機構２３は折曲げ変形可能となるから、図４中の矢示Ｂ方向に向けてレバー２１，２２を閉じることによって、第２〜第６のエレメント１０〜１９を折曲げ状態に変形させる。これにより、アンテナ１は、その全体が支柱２に沿った細長い収納形態となるから、第２〜第６のエレメント１０〜１９のＹ軸方向に対する突出寸法が小さくなる。この結果、狭い場所を通ってアンテナ１を移動させるときでも、各エレメント１０〜１９が壁や床に接触することがなく、各エレメント１０〜１９の損傷を防止することができる。
【００５７】
かくして、本実施の形態では、支柱２をＹ軸方向の両側から挟んでＹ軸方向に開，閉可能な２本のレバー２１，２２を設けると共に、各レバー２１，２２に折曲げ変形可能なエレメント１０〜１９の先端部１０Ｆ〜１９Ｆを連結した。このため、２本のレバー２１，２２を閉じることによって、複数本のエレメント１０〜１９を一緒に折曲げることができる。これにより、複数本のエレメント１０〜１９はその先端部１０Ｆ〜１９Ｆが支柱２に近付いた折曲げ状態となるから、アンテナ１全体を支柱２に沿った細長い収納形態に変形させることができ、アンテナ１の携帯性を高めることができる。
【００５８】
また、２本のレバー２１，２２を開いたときには、複数本のエレメント１０〜１９は一緒に直線状態に伸長する。これにより、２本のレバー２１，２２を開，閉操作することによって、直線状態および折曲げ状態のいずれの状態にも複数本のエレメント１０〜１９を一緒に変形させることができる。このため、従来技術のように、複数本のエレメントを個別に伸縮させた場合に比べて、アンテナ１の形態を迅速かつ容易に変形することができる。
【００５９】
また、第２〜第６のエレメント１０〜１９は長さ方向の途中位置から折曲げ変形可能に形成した。このため、第２〜第６のエレメント１０〜１９が直線状態となったときには、これらのエレメント１０〜１９の長さ寸法は予め決められた値に正確に合わせることができる。このため、従来技術のように、各エレメントを長さ方向に伸縮させた場合に比べて、各エレメント１０〜１９の長さ寸法が変化することがなく、放射パターン等のアンテナ特性の変動を抑制することができる。
【００６０】
さらに、２本のレバー２１，２２にはストッパ機構２３を設けたから、折曲げ変形可能なエレメント１０〜１９が直線状態となる位置で２本のレバー２１，２２を停止させることができる。これにより、レバー２１，２２を開き操作するときには、エレメント１０〜１９の先端部１０Ｆ〜１９Ｆが固定部１０Ａ〜１９Ａを越えてＸ軸方向の前端側に変位するのを防止し、エレメント１０〜１９が直線状に伸長した状態で回動部１０Ｂ〜１９Ｂの回動変位を停止させることができる。
【００６１】
また、ストッパ機構２３にはロック機構２４を設けたから、ロック機構２４を用いて２本のレバー２１，２２を開いた状態で固定することができる。これにより、各エレメント１０〜１９は直線状態で確実に固定することができるから、例えばアンテナ１の使用中にエレメント１０〜１９が変形することがなく、放射パターン等のアンテナ特性を安定させることができる。
【００６２】
なお、前記実施の形態では、支柱２はＺ軸方向に離間した２本の角筒体３，４を用いて形成し、第１〜第６のエレメント８〜１９は、角筒体３，４に互い違いに配置した。しかし、本発明はこれに限らず、例えば１本の筒体を用いて支柱を形成すると共に、この１本の筒体に全てのエレメントを取り付ける構成としてもよい。この場合、２本のレバーは、支柱のうちＺ軸方向の一側または他側に配置してもよく、Ｚ軸方向の両側から各エレメントの先端部を挟む構成としてもよい。
【００６３】
また、前記実施の形態では、第１〜第６のエレメント８〜１９のうち第２〜第６のエレメント１０〜１９を折曲げ変形可能に形成した。しかし、本発明はこれに限らず、全てのエレメント８〜１９を折曲げ変形可能に形成してもよく、第３〜第６のエレメント１２〜１９、第４〜第６のエレメント１４〜１９または第５，第６のエレメント１６〜１９を折曲げ変形可能に形成し、他のエレメントは直線状態で固定する構成としてもよい。即ち、最も後端側に位置するエレメントを含んでＸ軸方向で離間した２組以上のエレメントを、折曲げ変形可能に形成すればよいものである。
【００６４】
また、前記実施の形態では、６組のエレメント８〜１９を備える構成としたが、Ｘ軸方向に離間した２組以上のエレメントを備えていればよいものである。
【００６５】
さらに、前記実施の形態では、ストッパ機構２３は、レバー２１，２２の長さ方向途中位置に設けられた取付部２１Ｅ，２２Ｅに連結され、これら取付部２１Ｅ，２２Ｅ間のＹ軸方向の対する離間距離を制限する構成とした。しかし、本発明はこれに限らず、支持軸５の周囲に位置して例えばレバー２１，２２の開き角を制限する角度制限機構を用いてストッパ機構を構成してもよい。
【符号の説明】
【００６６】
１  ログペリオディックアンテナ
２  支柱
５  支持軸
８，９  第１のエレメント
１０〜１９  第２〜第６のエレメント（折曲げ変形可能なエレメント）
１０Ｃ〜１９Ｃ  連結部
１０Ｆ〜１９Ｆ  先端部
２０  係合突起
２１，２２  レバー
２１Ｃ，２１Ｄ，２２Ｃ，２２Ｄ  ガイド部
２３  ストッパ機構
２４  ロック機構
【図１】
2010278522.tif 000003
【図２】
2010278522.tif 000004
【図３】
2010278522.tif 000005
【図４】
2010278522.tif 000006
【図５】
2010278522.tif 000007
【図６】
2010278522.tif 000008
【図７】
2010278522.tif 000009
【図８】
2010278522.tif 000010
【図９】
2010278522.tif 000011
【図１０】
2010278522.tif 000012